(57)【特許請求の範囲】
【請求項１】
傘の手持ち部を保持する収納袋と、この収納袋の両端を支持して肩に袈裟がけに掛ける吊りベルトからなる傘さし用ベルトであって、傘の軸棒を前記左右の吊りベルトにつないで固定するための引き寄せベルトを設けたことを特徴とする傘さし用ベルト。
【請求項２】
前記ベルト類を前記収納袋に収納できるようにしたことを特徴とする請求項１記載の傘さし用ベルト。
【発明の詳細な説明】
【技術分野】
【０００１】
本発明は雨の日に、片麻痺の人が傘をさしたまま杖歩行することができる補助具に関する。
【背景技術】
【０００２】
脳卒中を発症すると、多くの場合片麻痺という障害が残り、左右どちらかの上肢および下肢が不自由な障害者となるが、リハビリテーションにより、多くの患者は健手（健常な側の手）に持った杖を突いてゆっくりでも、なんとか歩くことができるようになる。
しかし、雨がふると、患手（不自由な側の手）で傘を持つことができないため傘がさせず、予定していたのに行くことができず残念な思いをしている人が沢山いる。
【０００３】
本発明は、傘を患手で持てなくても、従来は外出を控えていた雨の日に、傘をさしたまま健手で杖を突いて外出できるようにして、片麻痺者の社会活動を支援しようとするものである。
【０００４】
従来より、手で傘を持たないで傘をさすための様々な技術があった。
まず、胴ベルトと肩ベルトからなるタイプのもの（特許文献１参照）。これは胴ベルトを片手（健手）だけで胴に回して装着することは困難である。
【０００５】
それと、ショルダーバッグに付けた袋に傘の手持ち部を入れて保持し、杖を突かない方の手で軸棒を掴んで固定するというのがある（特許文献２参照）。これは片麻痺の人では患手で軸棒を掴むことは困難である。
【０００６】
それから、クリップやフックを介して傘を自分の腰や首に取り付けるというのもあった（特許文献３参照。）。
【先行技術文献】
【特許文献】
【０００７】
【特許文献１】特開２００５−７３９８０
【特許文献２】特開２００８−１１４０１７
【特許文献３】実用登録第３０２５５１５号
【発明の概要】
【発明が解決しようとする課題】
【０００８】
本発明は、このような従来の構成が有していた課題を解決しようとするものであり、片麻痺の人が健手だけで身体に着脱できて、これに傘を健手だけで着脱できて、杖歩行中の身体の揺れや風にも耐えて、開いた傘が倒れることなく安定して保持することができ、不使用時にはコンパクトに袋に収納できて携帯するのが容易で便利な傘さし用ベルトの技術を提供しようとするものである。
【課題を解決するための手段】
【０００９】
そこで、第１の課題解決手段は上記の目的を達成するために、傘の手持ち部を保持する収納袋と、この収納袋の両端を支持して肩に袈裟がけに掛ける吊りベルトからなる傘さし用ベルトであって、傘の軸棒を前記左右の吊りベルトにつないで固定するための引き寄せベルトを設けたことを特徴とする傘さし用ベルトとしたものである。
【００１０】
そして、第２の課題解決手段は上記の目的を達成するために、前記ベルト類を前記収納袋に収納できるようにしたことを特徴とする請求項１記載の傘さし用ベルトとしたものである。
【発明の効果】
【００１１】
上記解決手段による効果は次のとおりである。
１．本発明の傘さし用ベルト１は片麻痺者が他人の助けを借りることなく、健手１１のみを用いて、簡単に自分の身体に装着できて、これに開いた傘１を保持させて、健手１１で持った杖１６を突いて、歩行することが可能となり、身体障害者の社会活動を広げることができるものである。
２．短めの引き寄せベルト２３を設けることにより、傘の軸棒３のなるだけ上方に巻き付けたりしてピンと張って身体の方にしっかりと引き寄せて係止するため、風や歩行時の身体の揺れに耐えて傘１が倒れることなく安定している。
３．不使用時にはベルト類を収納袋２２に収納し、バッグ状の袋２２の口に付けたチャック又は巾着状の袋２２の紐等の開閉手段２９を引っ張って口を閉じておけば、衣服などのポケットや担いでいるリュックサックに入るくらいコンパクトであり携帯するのに便利である。（チャックや紐等の開閉には袋の端を歯で噛んで固定する必要があるかもしれないが。）
【図面の簡単な説明】
【００１２】
【図１】本発明の実施例を示す斜視図である。
【図２】本発明を説明する正面図である。
【発明を実施するための形態】
【００１３】
以下、本発明の実施例を図1ないし図２に基づいて説明する。
図1（これは一例として左片麻痺者の場合の図である。）において、片麻痺者が傘１をさして杖歩行中の図であるが、まず、歩行前に健手１１で本発明の傘さし用ベルト２０および傘１を身体に装着する順序について説明する。
・  引き寄せベルト２３のクリップ２５は吊りベルト２１に噛ませないで、スライド部２４よりダラリとぶら下がった状態である。
・  イスなどに腰掛けて、収納袋２２から傘さし用ベルト２０を取り出す。膝の上に傘さし用ベルト２０と収納袋２２を置き、吊りベルト２１の上端２８を健手１１で持って首１６の後ろ側に掛ける。（吊りベルトには身長により長さが変えれるように長さ調節具２６が付けてある。）
３．健手１１を左右の吊りベルト２１，２１の間を通して前側に出してそのままイスから立ち上がると、収納袋２２を身体の前側に吊り下げた袈裟がけ状態（斜めがけ）となる。
４．ワンタッチで開ける傘１の手持ち部２を健手１１で持って押しボタン４を押すと傘部７が開く。
５．手持ち部２を持って、健側肩１３に軸棒３の上部を担いだようにして載せたまま、手持ち部２を収納袋２７に入れる。（収納袋２７の深さは図２のごとくJ字状の手持ち部の上部２・１が上に出るくらいに浅めにつくられているため、袋の中に手を突っ込んで探す必要がなく、健手でこの上部２・１を持って出し入れが容易である。）
６．健手１１で引き寄せベルト２３の歯型のついたクリップ２５を持って軸棒３の上の方に一度巻き付けてから、自分の身体のほうに引き寄せるようにして、ピンと張って吊るようにして支持ベルトに噛ませる。（歯型が付けてあるので滑り落ちることはない。）。
又、軸棒に突起を設けて、これにベルトにあけた穴を嵌めて係止して、吊りベルトで吊るようにしても良い。（不図示）。
７．健手１１で吊りベルト２２に沿ってスライドするスライド部２４を掴んでなるだけ上方にスライドさせておく。（引き寄せベルト２３はピンと張って軸棒３を身体の方に引き寄せられるくらいに短めにつくられている。それと、スライド部２４は吊りベルト２２に引き寄せベルトの一方の端部がスライド可能にきつめに巻着されているので、引き寄せベルトが引っ張り状態では、スライドさせた位置にとどまっている。）。（又、引き寄せベルト２３に長さ調節具２６を設けておくと、長すぎてピンと張らない場合には、短くすることができて都合が良い。）
８．前記５．に記載したクリップ２５を健手の親指と人差し指で強くつまんで吊りベルト２１からはずし、再度、吊りベルトのなるたけ上方に噛ませる。傘は下方の収納袋と上方の左右の引き寄せベルトでピンと張って固定されて、しっかりと引っ張りつけて身体に装着されたので、歩行中の身体の揺れや風で倒れることはなくなる。又、袋の左右を吊りベルトで外方向に向けて引っ張られているため、収納袋に収納されたJ字状の手持ち部の下方のU部の左右が拘束され、風などにより回転することを防止されている。（傘は重い方が自重によって固定度が高くなり、安定性が良くなる。）
９．これで、傘を身体に装着する作業は完了する。図１に示すように、健手に持った杖を突きながら、傘をさしたまま歩行することが可能となる。
１０．歩行終了後、傘１の手持ち部２の手持ち部上部２・１を健手１１で持って、収納袋２２から取り出し、そのまま手持ち部２の下部を自分の腹部に当てて、下ろくろ５を健手で持って手前に引くと傘は下はじき６によってロックされて閉じる。たたんだ傘を目的地の傘立てに立てかけておく。
１１．次に、傘さし用ベルト２０の吊りベルトを健手１１で持って首１７からはずして、ベルト類をできれば小さく折りたたんで、収納袋２２に収納して、チャックあるいは紐などの開閉手段２９を引っ張って（患手の程度により、一端を歯で噛んで固定して引かなくてはならないかもしれないが。）袋の口を閉じれば、コンパクトに収納することができる。
１２．そして、この収納袋２２を自分の衣服のポケットや担いでいるリュックサックやバッグなどに入れておけば、持ち運びのじゃまになることはない。
１３．右片麻痺の人の場合でも、前記と左右逆にすれば同様である。
文章で書いたらめんどうでむずかしそうに思えるが、実際に試作品で試してみたら簡単に着脱できて、すこぶる調子よく傘をさして杖歩行をすることが可能になった。
【００１４】
図２において、引き寄せベルト２３は一方の端部が吊りベルト２１に、きつめに巻着されているが、スライド部２４を指でつまんで吊りベルト２１に沿って動かせばスライド可能である。しかし、引き寄せベルト２１の中間部を引っ張ったのではこのスライド部２４は吊りベルトに対して斜めに引っ張られるため、その摩擦力によりスライドすることはない。
また、他方の端部には歯付きのクリップ２５が設けてあり、吊りベルト２１に噛ませたら傘の重量に充分耐えて滑り落ちることはない。そして、長さ調節具２６が設けてあり、長すぎる場合にはピンと張るように短くして、傘１の軸棒３を固定しやすいようにしてある。
それで、スライド部２４もクリップ２５も吊りベルト２１、２１のなるだけ上方に係止して軸棒３を固定するようにしたほうが傘の安定性が向上する。
又、引き寄せベルト２３に滑り止め加工を施してあれば、この引き寄せベルトは軸棒に無理に巻き付けて係止しなくても、軸棒３の向こう側に回して身体の方に引き寄せることも可能である。それと、軸棒３に突起を設けて、これに引き寄せベルト２３に設けた穴を嵌めて係止するようにしても良い。
【００１５】
それと、収納袋２２の幅や深さは、図示の様に、J字状の手持ち部の左右の幅とU字状部が入る程度の高さ寸法でつくられていて、J字状の上部の縦棒部２・１はこの袋から上に出ている。横幅が大き過ぎると手持ち部２が横方向に移動しやすくなるし、深さが深すぎると縦棒部２・１が袋の中に隠れて健手１１で素早く掴みにくくなるからである。
又、図２に於いて、手持ち部２を収納する以前には、この収納袋２２は正面視横長の長方形の形状をしているが、布地の材質が柔らかい場合だと、多少は横幅が大きくても、J字状の手持ち部２を収納すると、下部が図示の様に自重により下に膨れて出るので、横方向の移動は防ぐことができる。
それと、底布はないほうが良い。左右の吊りベルトにより左右に引っ張られた時、表と裏の布同志が近づこうとして手持ち部下部のU字状部の左右を表裏ではさんで拘束するため、傘の回転を防止しやすいからである。
【００１６】
又、この収納袋２２は開口部の開閉手段として、バッグ状であればチャックが、巾着袋形式であれば紐がとりつけてあり、ベルト類を折り畳んで袋に入れて口を閉じたらコンパクトで携帯しやすいものとすることができる。（ベルトの端部が少しのぞくかもしれないが、対して問題にはならない。しかしそれが気になるようであれば、この収納袋２２の開閉手段２９より内側の左右の端部を吊りベルトで支持したら、ベルト類を全て収納して袋の口を閉じることが可能である。）
【００１７】
それと、身長により長さが調節できるように、吊りベルト２１に長さ調節具２６が設置されている。又、引き寄せベルト２３にも長さ調節具２６が設けてあり、ピンと張るように調節して、軸棒に巻き付けて係止すると、軸棒が固定されやすい。
【産業上の利用可能性】
【００１８】
近年、生活習慣病やメタボリック症候群などにより脳卒中を発症する人が増加している。医学の進歩により脳卒中による死亡率は低下しているものの、生き残った人の多くに片麻痺という障害が残る。その数は日本全国で、程度の差はあっても150万人ともいわれている。
雨の日に傘をさすことができないため、外出を控えている片麻痺者がたくさんいる。この人たちが、本発明の傘さし用ベルトを用いて傘をさして杖歩行で雨の日でも外出できるようにしたいものである。本発明の傘さし用ベルトは構成がシンプルであり、商品化すれば安価に製造できて求めやすい価格で購入でき、喜ぶ人が沢山いることであろう。
【符号の説明】
【００１９】
１  傘
３  軸棒
１０  患手
１１  健手
１２  患側肩
１３  健側肩
１４  患足
１５  健足
１６  杖
２１  吊りベルト
２２  収納袋
２３  引き寄せベルト
２４  スライド部
２６  長さ調節具
２７  係止部
【要約】
【課題】
脳卒中などの後遺症により片麻痺となり、健手で杖を突いて歩行できる人が雨の日に外出しようとしても、患手では傘をさすことができず出掛けるのを断念せざるを得なかった。
【解決手段】
傘の手持ち部を中に入れて保持する収納袋と、この収納袋の両端を支持して肩に袈裟がけに掛ける吊りベルトからなる傘さし用ベルトであって、健手側の腋の下のあたりで吊りベルトに一端を巻着した引き寄せベルトを、傘の軸棒に係止して、他端に取り付けた歯付きクリップで、患手側の吊りベルトの上方部に、ピンと張って固着すると、傘は手持ち部と軸棒が上下2か所で固定され、傘を手で持つことなく、安定してさすことができ、健手に杖を持って歩行することが可能となる。又、不使用時にはベルト類を開閉手段を設けた収納袋にコンパクトに収納して携行しやすくできる。
【選択図】図１【図１】
0004768887.tif 000002
【図２】
0004768887.tif 000003